(57)【要約】      （修正有）【課題】大小一対のバッグ中の大バッグ中を３区分や２区分に分割して分別収納可能としたり、小型バッグは品物の各形態や性状ごとに分別収納でき、さらに苺や卵などのような扱いに注意を要する品物も安全に収納し運搬できるような、多用途型の手提げ式バッグを提供する。【解決手段】複数段の棚状体の左右と背部の側壁が布、ネット又は合成樹脂シート製の運搬バッグであるから、各棚状体の各棚に購入品を収納すれば、下段の品物が上側の段の品物で押し潰される心配が無い。また、左右と背部の側壁が布、ネット又は合成樹脂製その他のシート製であるから、棚中に品物を収納しない、不使用時には、蛇腹状に折り重ねることができるので、不使用時はコンパクトになり取り扱いが簡便である。大小一対のバッグ中の小型バッグの中に収納し、吊り下げて使用することも可能である。【選択図】図２
0003143016.tif 000002
【実用新案登録請求の範囲】
【請求項１】
複数段有る棚状体の少なくとも左右と背部の側壁が布、ネット又は合成樹脂製その他のシート製であり、手前の出し入れ口を閉鎖するための、布、ネット又はシート製の正面カバーを有し、手提げ又は肩掛け手段を有していることを特徴とする棚状運搬バッグ。
【請求項２】
最上段の棚の上に、布、ネット又はシート製で、上側に巾着状の開閉口を有する上部収納部を固設又は着脱可能としたことを特徴とする請求項１に記載の棚状運搬バッグ。
【請求項３】
前記棚状体の少なくとも仕切り棚および／又は底部は、薄板材が取付けてあるか、又は薄板材を重ねられる構成であることを特徴とする請求項１または請求項２に記載の棚状運搬バッグ。
【請求項４】
底部が長方形状の手提げバッグの片方の短辺側に前記の棚状体を収納した状態で、該運搬バッグの上端の複数か所を着脱式に前記手提げバッグに支持する支持手段を装備してあることを特徴とする請求項１、請求項２または請求項３に記載の棚状体収納バッグ。
【請求項５】
前記の棚状体収納バッグの他方の短辺側の側壁部に、複数段の横長の出し入れ口を有し、該側壁部の内側には、前記の各出し入れ口から挿入し収納できる収納袋を有していることを特徴とする請求項４に記載の棚収納バッグ。
【請求項６】
請求項５に記載の棚収納バッグより幅寸法の大きい、手提げ式の大バッグを有し、両バッグ同士を隣接した状態で、上端同士を連結するためのチャック手段、ボタン類を含む着脱連結手段を有していることを特徴とするペア式バッグ。
【請求項７】
前記の棚状体収納バッグと大バッグは、前記の着脱連結手段および／又は着脱連結手段取付け側壁の上部に取付けるポケット用材の上側に、それぞれのバッグの収納品の上に被せるカバーを重ねてポケットを形成し、かつ該カバーを折り畳みおよび／又は巻いた状態で保持するための着脱式の保持手段を有していることを特徴とする請求項６に記載のペア式バッグ。
【考案の詳細な説明】
【技術分野】
【０００１】
本考案は、スーパーマーケットなどで買い物をした際の多量の品物を収納し運搬するのに便利な手提げ式バッグに関する。
【背景技術】
【０００２】
特開２００７−２５２４３０号において、買い物時において購入商品の分別収納が可能であるとともに、持ち運びが容易で、しかも、構造も簡素な分離式買い物用バッグが提案されている。
その構成は、販売店舗で使用される買い物かご内に袋口を開いて、購入商品を収納可能な状態に装着される買物用バッグであって、夫々のバッグが手提げ部を備えた一対のバッグ本体が前記買い物かご内に隣接状態で装着可能である一方、当該装着時において両方のバッグ本体で形成する開口部の口径及び収納部の大きさは買い物かごのそれと略一致し、さらに、バッグ本体の隣向面には互いを着脱自在に連結する連結部材を配設した構造になっている。
【特許文献１】特開２００７−２５２４３０号
【考案の開示】
【考案が解決しようとする課題】
【０００３】
特許文献１のような構成によると、買い物かご内に収容した一対のバッグ本体の上端同士を連結するための連結部材を有しているので、購入品を買い物かご内で２種類に分別収納できると共に、購入後は分離して別々に持ち運ぶことができて、便利である。
しかしながら、一対のそれぞれのバッグ中には、上から積み重ねて収納することになるので、重みでつぶれやすい品物などのように、積み重ねに適しない品物には適用不可能であり、また、一対のバッグ内の片方を一つの収納バッグとして使用するだけでなく、その中を３区分に分割して分別収納可能としたり、品物の各形態や性状ごとに分別して収納することも不可能である。
本考案の技術的課題は、このような問題に着目し、大小一対のバッグ中の大バッグ中を３区分や２区分に分割して分別収納可能としたり、小型バッグは品物の各形態や性状ごとに分別収納でき、さらに卵などのような扱いに注意を要する品物も安全に収納し運搬できるような、多用途型の手提げ式バッグを実現することにある。
【課題を解決するための手段】
【０００４】
本考案の技術的課題は次のような手段によって解決される。請求項１は、複数段の棚状体の少なくとも左右と背部の側壁が布、ネット又は合成樹脂製その他のシート製であり、手前の出し入れ口を閉鎖するための、布、ネット又はシート製の正面カバーを有し、手提げ又は肩掛け手段を有していることを特徴とする運搬バッグである。
このように、複数段の棚状体の少なくとも左右と背部の側壁が布、ネット又は合成樹脂製その他のシート製の運搬バッグであるから、各棚状体の各棚に収納すれば、下段の品物が上側の段の品物で押し潰される心配が無い。また、左右と背部の側壁が布、ネット又は合成樹脂製その他のシート製であるから、棚中に品物を収納しない、不使用時には、蛇腹状に折り重ねることができるので、不使用時はコンパクトになり取り扱いが簡便である。
しかも、手前の出し入れ口を閉鎖するための、布、ネット又はシート製の正面カバーを有しているので、棚部の正面の出し入れ口を閉鎖でき、収容物が見えないばかりか脱落を防止できる。運搬は、手提げ式も肩掛け式も可能であり、使い勝手が良い。
【０００５】
請求項２は、最上段の棚の上に、布、ネット又はシート製で、上側に巾着状の開閉口を有する上部収納部を固設又は着脱可能としたことを特徴とする請求項１に記載の運搬バッグである。
このように、最上段の棚の上に、布、ネット又はシート製で、上側に巾着状の開閉口を有する上部収納部を固設又は着脱可能としたため、巾着ひもを緩めて上向き開口から、棚部に収納不能な嵩張る品物や取り扱いに注意を要する品物、苺などのように上側に置く必要のある品物などを収納して運搬できる。
また、最上段の棚の上に巾着状の収納手段を設けて、上部出し入れ構造にしたので、下側は前から水平方向に出し入れする棚構造としたことと相まって、出し入れ口を多様化できる。
【０００６】
請求項３は、前記棚状体の少なくとも仕切り棚および／又は底部は、薄板材が取付けてあるか、又は薄板材を重ねられる構成であることを特徴とする請求項１または請求項２に記載の運搬バッグである。
このように、棚状体の仕切り棚および／又は底部は、薄板材が取付けてあるか、又は薄板材を重ねられる構成にしてあるので、棚中の品物が薄板材に支持されることになり、棚中の品物の荷重で、下段の棚中の品物を損傷したりする恐れがない。
【０００７】
請求項４は、底部が長方形状の手提げバッグの片方の短辺側に前記の棚状体を収納した状態で、該棚状体の上端の複数か所を着脱式に前記手提げバッグに支持する支持手段を装備してあることを特徴とする請求項１、請求項２または請求項３に記載の棚収納バッグである。
このように、底部が長方形状の手提げバッグの片方の短辺側に前記の棚状体を収納した状態で、該棚状体の上端の複数か所を着脱式に前記手提げバッグに支持する支持手段を装備してあるので、棚状体の上端を前記手提げバッグ中に支持できる。その結果、手提げバッグの中に棚状体を収納した際に、各棚部が吊り下げられ、棚間隔が開いた状態となるので、その中に品物を手前の出し入れ口から容易に挿入可能となる。
また、蛇腹状に重なることがないので、上段の品物の荷重が下段の品物に作用して、下段の品物を損傷する恐れがない。
しかも、棚状体を手提げバッグに収納した状態で持ち運びできるので、残った空間を利用して他の一般の品物も一緒に収納運搬できる。
【０００８】
請求項５は、前記の棚状体の収納バッグの他方の短辺側の側壁部に、複数段の横長の出し入れ口を有し、該側壁部の内側には、前記の各出し入れ口から挿入し収納できる収納袋を有していることを特徴とする請求項４に記載の手提げ式の運搬バッグである。従って、該側壁部の内側の収納袋に、該側壁部の複数段の横長の出し入れ口から、品物を挿入し、収納できる。特に、発泡スチロールのトレーに入った品物など、偏平状の品物のみを収納し運搬するのに便利である。
【０００９】
請求項６は、請求項５に記載の棚収納バッグより幅寸法の大きい、手提げ式の大バッグを有し、両バッグ同士を隣接した状態で、上部同士を連結するためのチャック手段、ボタン類を含む着脱連結手段を有していることを特徴とするペア式バッグである。
従って、前記棚収納バッグと大バッグを隣接させて上端同士を互いに連結した状態で、大小二つの手提げバッグを一緒に持ち運びできる。また、大バッグには、棚収納バッグに入らない他の品物を大量に収納し運搬できる。
【００１０】
請求項７は、前記の棚状体収納バッグと大バッグは、前記の着脱連結手段および／又は着脱連結手段取付け側壁の上部に取付けるポケット用材の上側に、それぞれのバッグの収納品の上に被せるカバーを重ねてポケットを形成し、かつ該カバーを折り畳みおよび／又は巻いた状態で保持するための着脱式の保持手段を有していることを特徴とする請求項６に記載のペア式バッグである。
従って、棚状体収納バッグと大バッグは、購入した品物を収納した状態で、品物の上にカバーを被せて保護したり、他者に見えないように目隠しできる。
また、前記の着脱連結手段および／又は着脱連結手段取付け側壁の上部に取付けるポケット用材の上側にカバーを重ねてポケットを形成してあるので、財布その他の小物を収納できる。しかも、カバーの下面に形成してあるので、外部から見える心配もない。
さらに、該カバーを折り畳んだり、巻いたりした状態で保持するための着脱式の保持手段を有しているので、カバーを使用しない場合はコンパクトにできる。カバーだけを折り畳んだり、巻いたりするので、ポケットが使用不可能になることもない。
【考案の効果】
【００１１】
請求項１のように、複数段の棚状体の少なくとも左右と背部の側壁が布、ネット又は合成樹脂製その他のシート製の運搬バッグであるから、各棚状体の各棚に収納すれば、下段の品物が上側の段の品物で押し潰される心配が無い。また、左右と背部の側壁が布、ネット又は合成樹脂製その他のシート製であるから、棚中に品物を収納しない、不使用時には、蛇腹状に折り重ねることができるので、不使用時はコンパクトになり取り扱いが簡便である。
しかも、手前の出し入れ口を閉鎖するための、布、ネット又はシート製の正面カバーを有しているので、棚部の正面の出し入れ口を閉鎖でき、収容物が見えないばかりか脱落を防止できる。運搬は、手提げ式も肩掛け式も可能であり、使い勝手が良い。
【００１２】
請求項２のように、最上段の棚の上に、布、ネット又はシート製で、上側に巾着状の開閉口を有する上部収納部を固設又は着脱可能としたため、巾着ひもを緩めて上向き開口から、棚部に収納不能な嵩張る品物や取り扱いに注意を要する品物、苺などのように上側に置く必要のある品物などを収納して運搬できる。
また、最上段の棚の上に巾着状の収納手段を設けて、上部出し入れ構造にしたので、下側は前から水平方向に出し入れする棚構造としたことと相まって、出し入れ口を多様化できる。
【００１３】
請求項３のように、棚状体の仕切り棚および／又は底部は、薄板材が取付けてあるか、又は薄板材を重ねられる構成にしてあるので、棚中の品物が薄板材に支持されることになり、棚中の品物の荷重で、下段の棚中の品物を損傷したりする恐れがない。
【００１４】
請求項４のように、底部が長方形状の手提げバッグの片方の短辺側に前記の棚状体を収納した状態で、該棚状体の上端の複数か所を着脱式に前記手提げバッグに支持する支持手段を装備してあるので、棚状体の上端を前記手提げバッグ中に支持できる。その結果、手提げバッグの中に棚状体を収納した際に、各棚部が吊り下げられ、棚間隔が開いた状態となるので、その中に品物を手前の出し入れ口から容易に挿入可能となる。
また、蛇腹状に重なることがないので、上段の品物の荷重が下段の品物に作用して、下段の品物を損傷する恐れがない。
しかも、棚状体を手提げバッグに収納した状態で持ち運びできるので、残った空間を利用して他の一般の品物も一緒に収納運搬できる。
【００１５】
請求項５のように、前記の棚状体収納バッグの他方の短辺側の側壁部に、複数段の横長の出し入れ口を有し、該側壁部の内側には、前記の各出し入れ口から挿入し収納できる収納袋を有しているので、これらの収納袋に、複数段の横長の出し入れ口から、品物を挿入し、収納できる。特に、発泡スチロールのトレーに入った品物など、偏平状の品物のみを収納し運搬するのに便利である。
【００１６】
請求項６のように、棚収納バッグより幅寸法の大きい、手提げ式の大バッグを有し、両バッグ同士を隣接した状態で、上部同士を連結するためのチャック手段、ボタン類を含む着脱連結手段を有しているため、棚収納バッグと大バッグを隣接させて上部同士を互いに連結した状態で、大小二つの手提げバッグを一緒に持ち運びできる。また、大バッグには、棚収納バッグに入らない他の品物を大量に収納し運搬できる。
【００１７】
請求項７のように、棚状体収納バッグと大バッグは、購入した品物を収納した状態で、品物の上にカバーを被せて保護したり、他者に見えないように目隠しできる。また、前記の着脱連結手段やバッグ側壁の上部に取付けるポケット用材の上側にカバーを重ねてポケットを形成してあるので、財布その他の小物を収納できる。しかも、カバーの下面に形成してあるので、外部から見える心配もない。
さらに、該カバーを折り畳んだり、巻いたりした状態で保持するための着脱式の保持手段を有しているので、カバーを使用しない場合はコンパクトにできる。カバーだけを折り畳んだり、巻いたりするので、ポケットが使用不可能になることもない。
【考案を実施するための最良の形態】
【００１８】
次に本考案による運搬バッグが実際上どのように具体化されるか各実施形態を説明する。図１は棚つきの運搬バッグの斜視図で、図示例の棚状体１の段数は、第１段目の棚Ｓ１、第２段目の棚Ｓ２および第３段目の棚Ｓ３の３段構成である。棚状体１の左右の側壁と背部の側壁は、布やネット、各種シートなどで形成されている。１Ｌが左側の側壁である。各棚Ｓ１〜Ｓ３の左右端と背部端は、棚状体１の左右の側壁と背部の側壁と一体に連結されている。
第１段目の棚Ｓ１は、棚状体１の底壁を兼ねており、第３段目の棚Ｓ３の天井壁１Ｃは、棚状体１全体の天井壁１Ｃを兼ねている。各棚Ｓ１〜Ｓ３の手前の開口が出し入れ口であり、それぞれの下部には、収納した品物の脱落防止用のストッパー壁ＳＳがあり、その下部はそれぞれの棚Ｓ１〜Ｓ３と一体に連続しており、左右端は棚状体１の左右の側壁と一体に連続している。
なお、各棚Ｓ１〜Ｓ３の棚間隔は、必ずしも一定である必要はない。図２の実施形態では、第１段目の棚Ｓ１は、その上側の段の約２倍の高さになっている。
【００１９】
ＳＳＣは、上部ストッパー壁である。また、各棚の出し入れ口を一斉に閉じるためのカバー２を、底壁Ｓ１と一体に設けてあり、カバー２を閉じた状態で、その上端の半円状のリング２ａを前記の天井部１ＣのフックボタンＨに引っ掛ける構成になっている。
各棚Ｓ１〜Ｓ３や天井壁１Ｃ、ストッパー壁ＳＳ・ＳＳＣ、カバー２も、布、ネット又は各種のシート製である。シートは、合成樹脂製や皮製などが適している。布は、各種バッグに多用されている厚手の材質が望ましい。
３は手提げベルトで、肩掛けベルトとしても兼用できるように、予め長めに形成されている。そして、着脱具３Ｈで互いに嵌合させて短くすると、手提げベルトになり、分離して長くすると肩掛けベルトになる。
なお、カバー２は、図示例とは逆に、上端を天井壁１Ｃと一体に連結して、吊り下げ構造にすることも可能だが、図示のように下端が底壁Ｓ１と一体だと、各棚Ｓ１、棚Ｓ２、棚Ｓ３から脱落した収納物がカバー下端に溜まるので、落下紛失を防止できる。
【００２０】
各棚Ｓ１〜棚Ｓ３に剛性の高い薄板などを敷くと、収納物の荷重で棚Ｓ1 〜Ｓ３が下側に変形し難くなるので、下側の段の品物を押しつぶすなどの問題は少ない。この薄板は、予め各棚Ｓ１〜Ｓ３に重ねたり、収納しておくことも可能だが、使用の都度必要に応じて、予め準備してある薄板を重ねたり、収納してもよい。従って、薄板材を収納できるように、各棚Ｓ１〜Ｓ３を２枚構成にし、その間に挿入し収納するとよい。
【００２１】
図２は図１の棚状体１を、大バッグＢと隣接状態の小型バッグｂ中の左端に収納し、吊り下げた状態である。Ｈは大バッグＢの手提げ、ｈは小型バッグｂの手提げである。各棚Ｓ１〜Ｓ３の出し入れ口は、小型バッグｂの内側に露出し、品物ｇ１を１段目の棚Ｓ１中に挿入最中の状態である。底部が長方形状の小型バッグｂは、その短辺側の左端に図１の棚状体１をちょうど収納できるサイズであり、その上端の内側に引っ掛け用のボタンやフックなどの引っ掛け手段ｆ１〜ｆ４を取付けてある。棚状体１の上端の外側には、前記引っ掛け手段ｆ１〜ｆ４に引っ掛けるリングなどを有していることは当然である。
従って、各リングを各引っ掛け手段ｆ１〜ｆ４に引っ掛けると、図２のように小型バッグｂ中に収納状態で棚状体１を使用でき、各リングを取り外すと、小型バッグｂ中から分離して、図１のような棚つき運搬バッグとして単独で使用できる。
【００２２】
棚状運搬バッグの天井壁１Ｃの上には、図３のような巾着袋４を追加した構造も可能である。この場合の巾着袋４の底部は、棚Ｓ３中の品物に荷重がかからないように、薄板を設けておくと共に、天井壁１Ｃにぴったり重なるサイズが良い。
また、天井壁１Ｃと巾着袋４の底部を一体化した構造でもよいし、互いに分離可能な着脱構造も可能である。
図３の場合は、ネットや布、シートなどの柔軟な材質で構成された巾着袋４の下部を、別体の長方形の弁当箱状のシートや布製の保護壁４Ｗで取り囲んだ状態で、巾着袋４の下端４辺と保護壁４Ｗの下端が一体に連結されている。保護壁４Ｗと、その底壁も一体に連結しており、内部に薄板材を敷いてあるので、棚Ｓ３中の品物を押し潰さないですむ。保護壁４Ｗによって、巾着袋４中の液状の品物の型崩れも防止できる。
【００２３】
図３の巾着袋４も、小型バッグｂ’内に着脱できる構成であり、短辺側の左側壁ｂ１の上端に連結した状態で、折り畳んで左側壁ｂ１内面に重ねることができる。４ａは巾着袋４の開閉口の閉じ紐であり、４ｂは閉じ紐４ａの操作取っ手である。
小型バッグｂ’の右側の短辺側壁ｂ２には、巾着袋４を折り畳んで収納した長方形状の保護壁４Ｗの上端を連結し、かつ吊り下げた状態になっている。従って、巾着袋４を使用しない場合は、このようにコンパクトに折り畳んで、バッグ内壁に重ねることができる。邪魔になる場合は、バッグ側壁ｂ２の外側に反転させることもできる。
【００２４】
従って、図３の小型バッグｂ’は、左右二つの巾着袋を折り畳んで、外側に出した状態で、購入した品物をバッグ内に収納してから、その上側に二つの巾着袋を４のように広げて、苺や豆腐、卵などのように取り扱いに注意を要する品物を収納する。このように左右の巾着袋４を収納品物上に広げると、収納品の保護や目隠しカバーの役目も兼ねる。カバーｂＣは、巾着袋４の上に被せることもできるし、巾着袋４・４を広げない場合は、収納品の上に被せることもできる。
【００２５】
前記図２の小型バッグｂの右側の短辺側壁ｂＲには、３段の横長の出し入れ口５ａ、５ｂ、５ｃを横長に開けてある。側壁ｂＲの内側には、各出し入れ口５ａ、５ｂ、５ｃから挿入中の品物ｇ２を収納する収納袋６ａ、６ｂ、６ｃを有している。下段の収納袋６ａと中段の収納袋６ｂは、外側に引き出してあるが、使用時には、小型バッグｂの内側に押し込んで袋状にすることで、購入した品物ｇ２を出し入れ口５ａ、５ｂ、５ｃから挿入する。
これらの収納袋６ａ、６ｂ、６ｃは、図示のようにトレイに盛った偏平状の品物を収納するのに適している。
【００２６】
収納袋６ａ、６ｂ、６ｃ中の品物が脱落する恐れはないが、水平の出し入れ口５ａ、５ｂ、５ｃが外から見えるので、目隠しのカバー７をバッグ底に連結してある。上端には、固定用のマジックテープ（登録商標）などの面着脱テープ７ａを取付けてある。側壁ｂＲの上端外面には、前記面着脱テープ７ａと着脱できる相手テープｂ３を取付けてある。面着脱手段７ａ、ｂ３に代えて、各種のフック手段や磁石などを利用することもできる。
なお、図２の小型バッグｂ中の棚状体１の棚出し入れ口の前記カバー２の固定手段もマジックテープなどの面着脱手段となっている。
【００２７】
図４は、図２の大バッグＢ中に購入品が収納してあり、しかも店舗備付けの買い物かご８に入っている。大バッグＢには、一対の手提げＨ１・Ｈ２を有しており、品物の上に被せるカバーＢＣを有している。
図５は、図４の大バッグＢを買い物かご８から取り出した状態で、図２のように小型バッグｂと隣接させ、連結した状態である。
Ｃ１は、大バッグＢの側壁上部に固定してあるチャック、Ｃ２は、小型バッグｂの側壁上部に固定してあるチャックである。従って、一対のチャックＣ１・Ｃ２の一端を位置合わせしてから、閉じると、互いに強固に連結されるので、大バッグＢと小型バッグｂとが隣接状態で連結され、一体のバッグとして扱える。
【００２８】
この場合、図６、図７のように、大バッグＢと小型バッグｂの側壁下部の対向する位置に横長にマジックテープなどの面着脱手段１０を取付けてあるので、互いに着脱することで、下側が不安定になるのを防止して、大小対のバッグＢ・ｂを一体的に取り扱うことができる。
チャックＣ１とＣ２を分離して、小型バッグｂと大バッグＢを分離すると、図６のように、大小２個のバッグとなる。
小型バッグｂと大バッグＢの上端同士を強固に連結できれば、一対のチャックＣ１・Ｃ２に代えて、フックその他の各種の連結手段が採用できる。
【００２９】
図示のように、小型バッグｂの巾寸法ｗに対し、大バッグＢの巾寸法Ｗは、例えば２〜３倍というように、大きい。縦寸法は、ほぼ同程度でもよいし、小型バッグｂより大バッグＢの縦寸法が幾分大きめでもよい。
このような寸法関係であるから、図７、図８のように、小型バッグｂを大バッグＢ中に収納できる。図７は、大バッグＢ中において、小型バッグｂを広げた状態である。しかも、大バッグＢの片方に寄せてあって、大バッグＢ中は実質的に二つの空間に区分された状態となるので、購入品を二つの空間Ｓｐ１・Ｓｐ２に分別して収納できる。すなわち、小型バッグｂ中の領域がＳｐ２、大バッグＢ中の残りの領域がＳｐ１である。
開けた状態の小型バッグｂを大バッグＢの中央に配置すると、大バッグＢ中を三つの領域に区分し、購入品を３種類に分別して収納できる。
【００３０】
小型バッグｂとして不用な場合は、図８のように、大バッグＢ中の小型バッグｂを、大バッグＢの片方の側壁に折り重ねると、ほぼ大バッグＢのみとして使用できる。
以上のように、一対の小型バッグｂと大バッグＢが有ると、各種の使用形態が可能となる。
図５〜図７における小型バッグｂは、図２と違って、図５のように、棚状体１を小型バッグｂの底壁に折り畳んだ状態であり、棚状体として使用していない。図８の場合は、小型バッグｂの両側壁間に折り畳んである。
【００３１】
図６のように、一対のチャックＣ１・Ｃ２には、ロール状に巻いたカバーＢｃ、ｂｃが連結され、それぞれ大バッグＢの外側、小型バッグｂの内側に、吊り下げ状態となっている。
図９は、チャックＣ１・Ｃ２を大バッグＢ、小型バッグｂから分離した状態であり、チャック（Ｃ１・Ｃ２）ベース布にポケット布Ｐ１・Ｐ２を縫い付け固定してある。１２が縫い目である。
通常は、ポケット布Ｐ１・Ｐ２は、カバーＢｃ、ｂｃと共に、ホックなどの着脱手段11Ｂ、11ｂで、バッグ側に取付け連結してある。
【００３２】
ポケット布Ｐ１・Ｐ２の上にカバーＢｃ、ｂｃを重ねた状態で、ポケット布Ｐ１・Ｐ２の開口以外の３辺を縫い付けて、長方形状のポケットを形成してある。左右のホック11Ｂ〜11Ｂ間、11ｂ〜11ｂ間がポケットの出し入れ口であり、財布やカギなどの小物を収納することができる。
カバーＢＣ、ｂｃはロール状に巻いた状態であるが、ロール状を引き延ばすと、三つ折り状態になっている。従って、三つ折りを広げると、鎖線のような広さとなり、大バッグＢ、小型バッグｂの開口部をカバーできるサイズであり、バッグの収納品の上に被せることができる。
使用しない場合は、図示のように、カバーＢｃ、ｂｃを三つに折り畳み、さらにロール状に巻いた状態で、ほどけないように、バンド９Ｂ、９ｂで押さえて、その先端をカバー基端ＲＢ、Ｒｂにマジックテープ等の着脱手段で連結固定してあるので、ロール状のカバーＢｃ、ｂｃが解けることはない。
【００３３】
このように、カバーＢｃ、ｂｃはホック11Ｂ、11ｂで、バッグ側から分離できるので、分離して別々に洗濯できる。
チャックＣ１、Ｃ２べース布とポケット布Ｐ１、Ｐ２とバッグ側壁上部の３者を一緒に縫い付けて固定したり、ホック11Ｂ、11ｂなどで着脱可能に、バッグ側に取付けてもよい。
あるいは、カバーＢｃ、ｂｃをチャックＣ１、Ｃ２べース布やバッグ側壁上部に取付けて、カバーＢｃ、ｂｃの下面にポケット布Ｐ１、Ｐ２の３辺を縫い着けて、間にポケットを形成することも可能である。
【産業上の利用可能性】
【００３４】
以上のように、本考案によると、大バッグＢ中に小型バッグｂを収納して分割できるので、大バッグ中を３区分や２区分に分割して、購入品を分別収納可能となり、小型バッグに棚状体を収納したり、横長の出し入れ口から挿入し収納できる収納袋を設けてあるため、購入品の各形態や性状ごとに分別収納でき、上部に巾着袋を有するので、卵や苺などのような扱いに注意を要する品物も安全に収納し運搬でき、多用途型の手提げ式バッグを実現できる。
【図面の簡単な説明】
【００３５】
【図１】棚状運搬バッグの斜視図である。
【図２】図１の棚状運搬バッグを小型バッグ中に収納し、吊り下げた状態の斜視図である。
【図３】別の小型バッグの開口部に２個の巾着袋を装備した斜視図である。
【図４】買い物かご中に大バッグを収納した状態の斜視図である。
【図５】小型バッグと大バッグを隣接させ、連結した状態の斜視図である。
【図６】図５の小型バッグと大バッグを分離した状態の斜視図である。
【図７】大バッグ中で小型バッグを広げた状態の斜視図である。
【図８】大バッグ内壁に小型バッグを折り重ねた状態の斜視図である。
【図９】一対のチャックを大バッグ、小型バッグから分離した状態の斜視図である。
【符号の説明】
【００３６】
１  棚状体
１Ｃ  天井壁
Ｓ１  第１段目の棚
Ｓ２  第２段目の棚
Ｓ３  第３段目の棚
２  棚の出し入れ口のカバー
３  手提げベルト
４  巾着袋
５ａ、５ｂ、５ｃ  出し入れ口
６ａ、６ｂ、６ｃ  収納袋
７  側面のカバー
８  買い物かご
ｂ・ｂ’  小型バッグ
ｈ１、ｈ２  小型バッグの手提げ
Ｂ  大バッグ
Ｈ１、Ｈ２  大バックの手提げ
９Ｂ、９ｂ  バンド
Ｂｃ、ｂｃ  バッグ上側のカバー
【図１】
0003143016.tif 000003
【図２】
0003143016.tif 000004
【図３】
0003143016.tif 000005
【図４】
0003143016.tif 000006
【図５】
0003143016.tif 000007
【図６】
0003143016.tif 000008
【図７】
0003143016.tif 000009
【図８】
0003143016.tif 000010
【図９】
0003143016.tif 000011